(57)【要約】【課題】大気中での浮遊時間を長くでき、且つ、高い殺菌効果を維持できる浮遊性泡沫体等を提供する。【解決手段】浮遊性泡沫体Ｂは、大気中で浮遊する浮遊性泡沫体であって、次亜塩素酸及び次亜塩素酸イオンの少なくとも一方を含む機能気体Ａと、機能気体Ａを内包し、次亜塩素酸及び次亜塩素酸イオンの少なくとも一方と界面活性剤Ｌ２とを含む球状に形成された機能液膜Ｌ３と、を備える。【選択図】図２
2020005993.tif 000002
【特許請求の範囲】
【請求項１】
大気中で浮遊する浮遊性泡沫体であって、
次亜塩素酸及び次亜塩素酸イオンの少なくとも一方を含む機能気体と、
前記機能気体を内包し、次亜塩素酸及び次亜塩素酸イオンの少なくとも一方と界面活性剤とを含む球状に形成された機能液膜と、を備える
浮遊性泡沫体。
【請求項２】
次亜塩素酸及び次亜塩素酸イオンの少なくとも一方を含む機能気体を生成する気体生成部と、
次亜塩素酸及び次亜塩素酸イオンの少なくとも一方を含む機能水と界面活性剤とを含む機能溶液を生成する溶液生成部と、
前記機能溶液から形成される機能液膜が前記機能気体を覆った浮遊性泡沫体を発生する泡沫体発生部と、を備える
泡沫体発生装置。
【請求項３】
さらに、塩化ナトリウム水溶液を電気分解することで前記機能水を生成する電極部を有する機能水生成部を備え、
前記気体生成部は、前記機能水生成部が生成した前記機能水を気化させることで前記機能気体を生成し、
前記溶液生成部は、前記機能水生成部が生成した前記機能水と前記界面活性剤とを混合することで、前記機能溶液を生成する
請求項２に記載の泡沫体発生装置。
【請求項４】
さらに、前記機能水生成部が生成した前記機能水を、前記気体生成部と前記溶液生成部とへ送液する送液部を備える
請求項３に記載の泡沫体発生装置。
【請求項５】
前記界面活性剤は、酸性である
請求項２〜４のいずれか１項に記載の泡沫体発生装置。
【発明の詳細な説明】
【技術分野】
【０００１】
本発明は、大気中で浮遊する浮遊性泡沫体、及び、浮遊性泡沫体を発生させる泡沫体発生装置に関する。
【背景技術】
【０００２】
特許文献１には、除菌、脱臭等に用いられるミストを発生させるミスト発生装置が開示されている。
【０００３】
また、特許文献２には、霧化した液体をシャボン玉の内部に封入させて送出させる装置が開示されている。
【先行技術文献】
【特許文献】
【０００４】
【特許文献１】特開２０１２−６５９７９号公報
【特許文献２】特開２０１５−９６１８０号公報
【発明の概要】
【発明が解決しようとする課題】
【０００５】
例えば、特許文献２に開示されている装置によれば、除菌、脱臭等に用いられるミストをシャボン玉の内部に封入させて飛ばすことができる。こうすることで、大気中ですぐに気化してしまうミストでも、気化させずに大気中での浮遊時間を長くすることができる。
【０００６】
しかしながら、このような技術では、シャボン玉等の浮遊性泡沫体のサイズを小さくした場合、浮遊性泡沫体の内部に封入できるミストの量が低下してしまい、殺菌効果が低下する。また、浮遊性泡沫体の内壁にミストが接触するために、ミストが浮遊性泡沫体に取り込まれてしまい、ミストが浮遊性泡沫体の内部に存在することも難しく、殺菌効果の低下を招く。
【０００７】
本発明は、大気中での浮遊時間を長くでき、且つ、高い殺菌効果を維持できる浮遊性泡沫体等を提供する。
【課題を解決するための手段】
【０００８】
本発明の一態様に係る浮遊性泡沫体は、大気中で浮遊する浮遊性泡沫体であって、次亜塩素酸及び次亜塩素酸イオンの少なくとも一方を含む機能気体と、前記機能気体を内包し、次亜塩素酸及び次亜塩素酸イオンの少なくとも一方と界面活性剤とを含む球状に形成された機能液膜と、を備える。
【０００９】
また、本発明の一態様に係る泡沫体発生装置は、次亜塩素酸及び次亜塩素酸イオンの少なくとも一方を含む機能気体を生成する気体生成部と、次亜塩素酸及び次亜塩素酸イオンの少なくとも一方を含む機能水と界面活性剤とを含む機能溶液を生成する溶液生成部と、前記機能溶液から形成される機能液膜が前記機能気体を覆った浮遊性泡沫体を発生する泡沫体発生部と、を備える。
【発明の効果】
【００１０】
本発明によれば、大気中での浮遊時間を長くでき、且つ、高い殺菌効果を維持できる浮遊性泡沫体等を提供できる。
【図面の簡単な説明】
【００１１】
【図１】図１は、実施の形態に係る泡沫体発生装置の構成を示す概略図である。
【図２】図２は、実施の形態に係る浮遊性泡沫体の構成を示す概略断面図である。
【図３】図３は、実施の形態に係る泡沫体発生装置が浮遊性泡沫体を発生させる処理手順を説明するためのフローチャートである。
【図４】図４は、実施の形態に係る泡沫体発生装置が備える板体の変形例を示す斜視図である。
【発明を実施するための形態】
【００１２】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する場合がある。
【００１４】
また、本明細書において、殺菌とは、例えば、黄色ブドウ球菌、表皮ブドウ球菌等の菌類、Ｅｓｃｈｅｒｉｃｈｉａ  ｃｏｌｉ．（大腸菌）、Ｐｓｅｕｄｏｍｏｎａｓ  ｓｐ．（緑膿菌）、Ｋｌｅｂｓｉｅｌｌａ  ｓｐ．（肺炎桿菌）等の細菌、Ｃｌａｄｏｓｐｏｒｉｕｍ．  ｓｐ．（黒カビ）、Ａｓｐｅｒｇｉｌｌｕｓ（黒コウジカビ）等のカビ類を含む真菌類、及び／又は、ノロウィルス等のウィルスを分解して菌等の全体数を減らすことを意味し、除菌又は滅菌する意味も含む。なお、上記の殺菌の対象とする菌類、細菌類、真菌、ウィルス等は一例であり、限定されるものではない。また、本明細書において、菌類、細菌類、真菌、ウィルス等をまとめて単に「菌」と記載する場合がある。また、本明細書において、殺菌効果とは、菌類、細菌類、真菌類、ウィルス等を殺菌する効果であり、特に、短時間で多くの菌を殺菌する効果を意味する。
【００１５】
（実施の形態）
［構成］
まず、図１及び図２を参照して、実施の形態に係る浮遊性泡沫体、及び、浮遊性泡沫体を発生する泡沫体発生装置の構成の概要について説明する。
【００１６】
図１は、実施の形態に係る泡沫体発生装置１００の構成を示す概略断面図である。
【００１７】
泡沫体発生装置１００は、殺菌等の用途に用いられ、菌等の対象物に接触する、又は、当該対象物の近傍で破裂することで内包している殺菌効果を有する気体を当該対象物に接触させることで、当該対象物を殺菌する浮遊性泡沫体Ｂを発生する装置である。
【００１８】
図２は、実施の形態に係る浮遊性泡沫体Ｂの構成を示す概略断面図である。
【００１９】
浮遊性泡沫体Ｂは、大気中で浮遊する浮遊性を有する泡である。浮遊性泡沫体Ｂは、いわゆるシャボン玉のような形状であり、内部が気体で充填された球形である。浮遊性泡沫体Ｂの外径は、例えば、２０μｍ〜１００μｍ程度である。
【００２０】
浮遊性泡沫体Ｂは、次亜塩素酸及び次亜塩素酸イオンの少なくとも一方を含む機能気体Ａと、機能気体Ａを内包し、次亜塩素酸及び次亜塩素酸イオンの少なくとも一方と界面活性剤Ｌ２とを含む球状に形成された機能液膜Ｌ３と、を備える。
【００２１】
機能気体Ａは、殺菌効果を有する次亜塩素酸及び次亜塩素酸イオンの少なくとも一方を含む大気（空気）である。そのため、機能気体Ａは、殺菌効果を有する。なお、機能気体Ａは、浮遊性泡沫体Ｂの浮遊性を向上させるため、空気ではなく、ヘリウムガス等の空気より軽いガスを含んでもよい。
【００２２】
機能液膜Ｌ３は、機能気体Ａを内包し、次亜塩素酸及び次亜塩素酸イオンの少なくとも一方と界面活性剤Ｌ２とを含む球状に形成されている。そのため、機能液膜Ｌ３もまた、殺菌効果を有する。機能液膜Ｌ３の厚みは、特に限定されるものではない。機能液膜Ｌ３の厚みは、例えば、１μｍ〜５μｍ程度である。また、例えば、機能液膜Ｌ３の厚みは、浮遊性泡沫体Ｂの半径の１／２〜１／１０程度でもよい。
【００２３】
図１に示すように、実施の形態に係る泡沫体発生装置１００は、溶液生成部１０と、機能水生成部２０と、気体生成部４０と、泡沫体発生部５０と、制御部７０と、を備える。なお、図１では、制御部７０を機能的なブロックとして表している。制御部７０は、例えば、マイコン（マイクロコントローラ）等で実現され、泡沫体発生装置１００の図示しない外殻筐体の内部又は外部に配置されている。また、図１では、送液部３０、供給部６１、６２等は、模式的に示しており、容器１１、２１、３１、４１等は、内部を説明するために断面を模式的に示している。
【００２４】
溶液生成部１０は、次亜塩素酸及び次亜塩素酸イオンの少なくとも一方を含む機能水Ｌ１と界面活性剤Ｌ２とを含む機能溶液Ｌを生成する。具体的には、溶液生成部１０は、機能水生成部２０が生成した機能水Ｌ１と界面活性剤Ｌ２とを混合することで、機能溶液Ｌを生成する。溶液生成部１０は、容器１１と、送液部３０と、供給部６１と、を備える。
【００２５】
容器１１は、機能溶液Ｌを収容する容器である。容器１１は、例えば、ステンレス等の金属材料を用いて形成されているが、樹脂材料を用いて形成されていてもよい。また、容器１１は、耐酸性若しくは耐アルカリ性又はこれらの両方の性質を有する材料を用いて形成されていてもよい。また、容器１１の上部は、例えば、板体５２が、容器１１の内外を移動可能にするために開口が設けられている。
【００２６】
送液部３０は、機能水生成部２０で生成された機能水Ｌ１を容器１１に供給するためのポンプである。機能水生成部２０が備える容器２１と容器１１とは、配管等により内部が接続されている。送液部３０は、容器２１と容器１１とを繋ぐ配管を介して容器２１に収容されている機能水Ｌ１を容器１１へ供給する。なお、送液部３０は、電磁弁等を備えてもよい。
【００２７】
供給部６１は、容器３１に収容されている界面活性剤Ｌ２を容器１１に供給するためのポンプである。容器３１と容器１１とは、配管等により内部が接続されている。供給部６１は、容器３１と容器１１とを繋ぐ配管を介して容器３１に収容されている界面活性剤Ｌ２を容器１１へ供給する。なお、供給部６１は、電磁弁等を備えてもよい。
【００２８】
容器３１は、界面活性剤Ｌ２を収容する容器である。容器３１は、例えば、ステンレス等の金属材料を用いて形成されているが、樹脂材料を用いて形成されていてもよい。また、容器３１は、耐酸性若しくは耐アルカリ性又はこれらの両方の性質を有する材料を用いて形成されていてもよい。
【００２９】
界面活性剤Ｌ２は、内部が空洞の泡状の浮遊性泡沫体Ｂを発生させるために、機能水Ｌ１と混合される界面活性剤である。界面活性剤Ｌ２として採用される材料は、特に限定されない。なお、界面活性剤Ｌ２は、酸性であるとよい。例えば、界面活性剤Ｌ２のｐＨは、機能水Ｌ１と混合されてｐＨ４．０〜６．５程度であるとよい。
【００３０】
容器１１では、送液部３０及び供給部６１のそれぞれから供給される機能水Ｌ１及び界面活性剤Ｌ２が混合されることで、機能溶液Ｌが生成される。
【００３１】
なお、溶液生成部１０は、容器１１の内部に配置され、容器１１に収容されている機能溶液Ｌを攪拌するためのプロペラ等を有する攪拌部をさらに備えてもよい。
【００３２】
機能水生成部２０は、塩化ナトリウム水溶液を電気分解することで、機能水Ｌ１を生成する。機能水生成部２０は、容器２１と、電極部２２と、電圧印加部２３と、を備える。
【００３３】
容器２１は、塩化ナトリウム水溶液、及び、塩化ナトリウム水溶液が電気分解されることで背性される機能水Ｌ１を収容する容器である。容器２１は、例えば、ステンレス等の金属材料を用いて形成されているが、樹脂材料を用いて形成されていてもよい。また、容器２１は、耐酸性若しくは耐アルカリ性又はこれらの両方の性質を有する材料を用いて形成されていてもよい。容器２１は、配管等を介して、容器１１、及び、気体生成部４０が備える容器４１と接続されている。
【００３４】
電極部２２は、容器２１に収容されている塩化ナトリウム水溶液に電圧を印加するための電極対である。電極部２２は、容器２１に収容されている塩化ナトリウム水溶液と接触するように、容器２１の内部に配置されている。電極部２２は、導電性を有し、例えば、ステンレス等の金属材料を用いて形成されている。電極部２２は、耐酸性若しくは耐アルカリ性又はこれらの両方の性質を有する材料を用いて形成されていてもよい。
【００３５】
電圧印加部２３は、電極部２２が備える電極対である２つの電極の間に電圧を与えることで、塩化ナトリウム水溶液を電気分解する。電圧印加部２３が印加する所定の電圧は、例えば、５．０Ｖの直流電圧である。なお、所定の電圧は、パルス電圧、又は、脈流電圧でもよい。電圧印加部２３は、具体的には、コンバータ等を含む電源回路で実現される。例えば、電圧印加部２３は、商用電源等の外部電源から受けた電力に基づいて所定の電圧を生成して、生成した所定の電圧を電極部２２が備える電極対である２つの電極の間に印加する。
【００３６】
送液部３０は、上述したように、機能水生成部２０が生成した機能水Ｌ１を溶液生成部１０へ送液する。また、送液部３０は、機能水生成部２０が生成した機能水Ｌ１を、気体生成部４０へ送液する。具体的には、送液部３０は、容器２１と容器１１と繋ぐ配管を介して容器２１に収容されている機能水Ｌ１を容器１１へ送液する。また、送液部３０は、容器２１と容器４１と繋ぐ配管を介して容器２１に収容されている機能水Ｌ１を容器４１へ送液する。
【００３７】
気体生成部４０は、次亜塩素酸及び次亜塩素酸イオンの少なくとも一方を含む機能気体Ａを生成する。気体生成部４０は、例えば、機能水生成部２０が生成した機能水Ｌ１を気化させることで、機能気体Ａを生成する。気体生成部４０は、例えば、容器４１と、気化部４２と、を備える。
【００３８】
容器４１は、機能水Ｌ１を収容するための容器である。容器４１は、容器２１と配管等により接続されている。また、容器４１は、例えば、容器４１の内部で生成された機能気体Ａを泡沫体発生部５０が備える送風部５１へ導く配管等と接続されている。容器４１は、例えば、ステンレス等の金属材料を用いて形成されているが、樹脂材料を用いて形成されていてもよい。また、容器４１は、耐酸性若しくは耐アルカリ性又はこれらの両方の性質を有する材料を用いて形成されていてもよい。
【００３９】
気化部４２は、容器４１に収容されている機能水Ｌ１を気化させるための装置である。気化部４２は、例えば、ヒータであり、機能水Ｌ１を加熱することで気化させる。機能水Ｌ１が気化部４２によって気化されることで生成された機能気体Ａは、供給部６２によって泡沫体発生部５０へ送気される。なお、泡沫体発生装置１００は、超音波方式又はベンチュリ方式等で気化した後で、時間をおくこと、及び／又は、温度を上げることで、容器４１に収容されている機能水Ｌ１を気化させてもよい。このように、泡沫体発生装置１００が容器４１に収容されている機能水Ｌ１を気化させる構成及び方法は、特に限定されない。
【００４０】
供給部６２は、気体生成部４０で生成された機能気体Ａを泡沫体発生部５０へ送気するためのファンである。
【００４１】
泡沫体発生部５０は、機能溶液Ｌから形成される機能液膜Ｌ３が機能気体Ａを覆った浮遊性泡沫体Ｂを発生する。泡沫体発生部５０は、送風部５１と、板体５２と、を備える。板体５２には、１又は複数の貫通孔が形成されている。図１には、板体５２には、１つの貫通孔５３が形成されている場合を例示している。
【００４２】
送風部５１は、気体生成部４０で生成された機能気体Ａを板体５２に形成された貫通孔５３へ向けて送風する。送風部５１は、例えば、ファンである。
【００４３】
板体５２は、貫通孔５３が形成された平板状の板体である。板体５２は、容器１１の内部と外部とを移動可能に図示しない可動ステージ等の可動機構に取り付けられている。板体５２は、厚み方向に貫通する貫通孔５３が形成されている。貫通孔５３の径は、発生させたい浮遊性泡沫体Ｂの外径によって任意に定められてよい。また、板体５２の厚みもまた、任意に設定されてよい。
【００４４】
まず、板体５２は、図示しない可動ステージ等によって位置５２ａに移動されて容器１１に収容されている機能溶液Ｌに浸水される。このとき、板体５２は、その全てが機能溶液Ｌに浸水される必要はなく、貫通孔５３が機能溶液Ｌで満たされればよい。
【００４５】
次に、板体５２は、容器１１の中から取り出されて、送風部５１の前、つまり、送風部５１によって生成される気流が貫通孔５３を通過する位置に配置される。この際に、貫通孔５３には、機能溶液Ｌの液膜が形成される。
【００４６】
次に、送風部５１から、機能気体Ａを含む空気の気流が貫通孔５３に向けて生成される。これにより、貫通孔５３に形成されている液膜がたわみ、さらに、液膜が板体５２から離れて機能気体Ａを内包する機能液膜Ｌ３（図２参照）となる、つまり、浮遊性泡沫体Ｂが発生される。
【００４７】
制御部７０は、泡沫体発生装置１００の全体的な動作を制御する制御装置である。具体的には、制御部７０は、電圧印加部２３、送液部３０、気化部４２、送風部５１、供給部６１、６２、及び、図示しない板体５２の位置を移動させる可動機構の動作を制御する。例えば、制御部７０は、電圧印加部２３を制御することで、電極部２２に電圧を印加するタイミング、及び、電圧の大きさ等を制御し、機能水Ｌ１を生成するタイミングを制御する。また、例えば、制御部７０は、気化部４２を制御することで、気化部４２に容器４１に収容されている機能水Ｌ１を気化させて、機能気体Ａを生成するタイミングを制御する。また、例えば、制御部７０は、泡沫体発生部５０を制御することで、浮遊性泡沫体Ｂを発生させるタイミングを制御する。
【００４８】
制御部７０は、例えば、マイクロコントローラ等で実現される。具体的には、制御部７０は、プログラムが格納された不揮発性メモリ、プログラムを実行するための一時的な記憶領域である揮発性メモリ、入出力ポート、プログラムを実行するプロセッサ等で実現される。制御部７０は、各動作を実行する専用の電子回路で実現されてもよい。
【００４９】
なお、制御部７０は、電圧印加部２３、気化部４２等を制御することができればよく、無線信号を送信することで電圧印加部２３、気化部４２等を制御してもよいし、電圧印加部２３、気化部４２等と制御線等により接続されていてもよい。
【００５０】
［処理手順］
続いて、図３を参照して、泡沫体発生装置１００が浮遊性泡沫体Ｂを発生させるまでの処理手順について説明する。
【００５１】
図３は、実施の形態に係る泡沫体発生装置１００が浮遊性泡沫体Ｂを発生させる処理手順を説明するためのフローチャートである。
【００５２】
まず、機能水生成部２０は、次亜塩素酸及び次亜塩素酸イオンの少なくとも一方を含む機能水Ｌ１を生成する（ステップＳ１０１）。具体的には、ステップＳ１０１において、機能水生成部２０は、電圧印加部２３によって電極部２２に電圧が印加されることで、容器２１に収容されている塩化ナトリウム水溶液を電気分解することで、次亜塩素酸及び次亜塩素酸イオンの少なくとも一方を含む機能水Ｌ１を生成する。
【００５３】
次に、気体生成部４０は、機能水Ｌ１を気化させることで、次亜塩素酸及び次亜塩素酸イオンの少なくとも一方を含む機能気体Ａを生成する（ステップＳ１０２）。例えば、気化部４２がヒータである場合、ステップＳ１０２では、気体生成部４０は、容器４１に収容されている機能水Ｌ１を気化部４２により加熱して機能水Ｌ１を気化させることで、機能気体Ａを生成する。
【００５４】
次に、溶液生成部１０は、機能水Ｌ１と界面活性剤Ｌ２とを混合することで、機能溶液Ｌを生成する（ステップＳ１０３）。具体的には、ステップＳ１０３では、溶液生成部１０は、送液部３０を駆動させて容器２１に収容されている機能水Ｌ１を容器１１に移動させ、且つ、供給部６１を駆動させて容器３１に収容されている界面活性剤Ｌ２を容器１１に移動させることで、容器１１内で機能水Ｌ１と界面活性剤Ｌ２とを混合させ、機能溶液Ｌを生成する。
【００５５】
次に、泡沫体発生部５０は、浮遊性泡沫体Ｂを発生させる（ステップＳ１０４）具体的には、ステップＳ１０４では、泡沫体発生部５０は、まず、板体５２を、図示しない可動ステージ等によって位置５２ａに移動させて容器１１に収容されている機能溶液Ｌに浸水させる。さらに、泡沫体発生部５０は、板体５２を容器１１の中から取り出し、送風部５１の前に配置させる。さらに、泡沫体発生部５０は、送風部５１を駆動させて、機能気体Ａを含む空気を貫通孔５３に向けて送風することで、浮遊性泡沫体Ｂを発生させる。
【００５６】
［効果等］
以上のように、実施の形態に係る浮遊性泡沫体Ｂは、大気中で浮遊する浮遊性泡沫体であって、次亜塩素酸及び次亜塩素酸イオンの少なくとも一方を含む機能気体Ａと、機能気体Ａを内包し、次亜塩素酸及び次亜塩素酸イオンの少なくとも一方と界面活性剤Ｌ２とを含む球状に形成された機能液膜Ｌ３と、を備える。
【００５７】
このような構成によれば、浮遊性泡沫体Ｂにおいては、内部に機能気体Ａを含む空気を備えるために、全てが液体からなるミスト等と比較して、体積当たりの重量が軽くなる。そのため、浮遊性泡沫体Ｂによれば、全てが液体からなるミスト等と比較して、大気中で浮遊させやすくなる。そのため、浮遊性泡沫体Ｂは、体積に対して大気中での浮遊時間を長くなり、浮遊性泡沫体Ｂをより遠くへ飛ばしやすくなる。また、浮遊性泡沫体Ｂは、内部に殺菌効果を有する機能気体Ａを備える。これにより、液体部分である機能液膜Ｌ３だけでなく、機能気体Ａもまた殺菌に寄与することができるため、浮遊性泡沫体Ｂは、高い殺菌効果を有する。また、機能液膜Ｌ３で機能気体Ａを覆っているために、機能気体Ａの殺菌効果を維持しつつ、浮遊性泡沫体Ｂをより遠くまで飛ばすことができる。これらのように、浮遊性泡沫体Ｂによれば、大気中での浮遊時間を長くでき、且つ、高い殺菌効果を維持できる。
【００５８】
また、実施の形態に係る泡沫体発生装置１００は、次亜塩素酸及び次亜塩素酸イオンの少なくとも一方を含む機能気体Ａを生成する気体生成部４０と、次亜塩素酸及び次亜塩素酸イオンの少なくとも一方を含む機能水Ｌ１と界面活性剤Ｌ２とを含む機能溶液Ｌを生成する溶液生成部１０と、機能溶液Ｌから形成される機能液膜Ｌ３が機能気体Ａを覆った浮遊性泡沫体Ｂを発生する泡沫体発生部５０と、を備える。
【００５９】
このような構成によれば、泡沫体発生装置１００は、殺菌効果を有する機能液膜Ｌ３で、殺菌効果を有する機能気体Ａを覆った浮遊性泡沫体Ｂを発生させることができる。そのため、このような構成によれば、泡沫体発生装置１００は、大気中での浮遊時間を長くでき、且つ、高い殺菌効果を維持できる浮遊性泡沫体Ｂを発生させることができる。
【００６０】
例えば、実施の形態に係る泡沫体発生装置１００は、さらに、塩化ナトリウム水溶液を電気分解することで機能水Ｌ１を生成する電極部２２を有する機能水生成部２０を備える。また、例えば、気体生成部４０は、機能水生成部２０が生成した機能水Ｌ１を気化させることで機能気体Ａを生成する。また、例えば、溶液生成部１０は、機能水生成部２０が生成した機能水Ｌ１と界面活性剤Ｌ２とを混合することで、機能溶液Ｌを生成する。
【００６１】
このような構成によれば、一般的に入手が容易である塩化ナトリウムと水とを含む塩化ナトリウム水溶液から、簡便に、機能水Ｌ１と機能気体Ａを生成することができる。そのため、このような構成によれば、泡沫体発生装置１００は、簡便な構成で浮遊性泡沫体Ｂを発生させることができる。また、このような構成によれば、塩化ナトリウムと水という比較的安全性の高い材料を用いることができるため、泡沫体発生装置１００を利用するユーザの安全性を高めることができる。
【００６２】
また、例えば、泡沫体発生装置１００は、さらに、機能水生成部２０が生成した機能水Ｌ１を、気体生成部４０と溶液生成部１０とへ送液する送液部３０を備える。
【００６３】
このような構成によれば、泡沫体発生装置１００を利用するユーザが、機能水生成部２０で生成された機能水Ｌ１を気体生成部４０及び溶液生成部１０へ移動させる手間なく、送液部３０によって、機能水生成部２０で生成された機能水Ｌ１を気体生成部４０及び溶液生成部１０へ簡便に移動させることができる。
【００６４】
また、例えば、界面活性剤Ｌ２は、酸性である。
【００６５】
水溶液中の塩素イオンは、水溶液のｐＨにより、異なる態様で水溶液中に存在することが知られている。例えば、水溶液がアルカリ性の場合は、水溶液中の塩素イオンは次亜塩素酸イオンの状態で存在する。また、例えば、水溶液がｐＨ４．０〜６．５程度の弱酸性の場合は、水溶液中の塩素イオンは次亜塩素酸の状態で存在する。ここで、殺菌効果は、次亜塩素酸の方が次亜塩素酸イオンより高いことが知られている。そのため、界面活性剤Ｌ２を酸性とすることで、機能溶液Ｌを酸性にさせやすくすることができるため、機能溶液Ｌ中に存在する殺菌効果の高い次亜塩素酸の濃度を高めることができる。また、塩化ナトリウム水溶液を単に電気分解した場合、機能水Ｌ１はアルカリ性となりやすい。そのため、アルカリ性となった機能水Ｌ１に酸性の界面活性剤Ｌ２を混合して機能溶液Ｌを生成することで、機能溶液Ｌを弱酸性にし、機能溶液Ｌ中に存在する殺菌効果の高い次亜塩素酸の濃度を高めることができる。
【００６６】
（その他の実施の形態）
以上、本発明に係る浮遊性泡沫体等について、上記の実施の形態及び変形例に基づいて説明したが、本発明は、上記の実施の形態に限定されるものではない。
【００６７】
例えば、上記実施の形態では、板体５２には、１つの貫通孔５３が形成されている。しかしながら、板体に形成される貫通孔の個数は特に限定されるものではない。例えば、板体には、２以上の貫通孔が形成されてもよい。
【００６８】
図４は、実施の形態に係る泡沫体発生装置１００が備える板体の変形例を示す図である。
【００６９】
図４に示すように、板体５４には、３つの貫通孔５５、５６、及び、５７が形成されている。このような構成によれば、送風部５１による一度の送風で複数の浮遊性泡沫体Ｂを発生させることができる。
【００７０】
また、例えば、板体５４に形成される貫通孔５５、５６、及び、５７は、それぞれ径が異なる。このような構成によれば、泡沫体発生装置は、外径の異なる浮遊性泡沫体を発生させることができる。これにより、泡沫体発生装置は、機能溶液Ｌの材料を変えずに、大気中で機能液膜Ｌ３が自然に破れるタイミングが異なる浮遊性泡沫体Ｂを発生させることができる。そのため、このような構成によれば、泡沫体発生装置が配置される所定の空間において、より均一に機能気体を散布することができる。
【００７１】
また、例えば、板体は、機能溶液Ｌを保持し、且つ、送風部によって風が送風された際に浮遊性泡沫体Ｂを発生することができればよく、フェルト等の内部に通気する隙間を有する材料でもよい。
【００７２】
また、例えば、板体は、複数の貫通孔が側壁に形成された筒状の筒体でもよい。例えば、筒体の側壁の一部が容器１１に収容されている機能溶液Ｌに浸水するように筒体を配置し、モータ等によって筒体の軸を中心に筒体を回動させ、且つ、送風部５１によって、筒体の内部から側壁（具体的には、側壁に形成された貫通孔）に向かって機能気体Ａを送気する。このような構成によれば、簡便に連続して浮遊性泡沫体Ｂを発生させることができる。
【００７３】
また、浮遊性泡沫体Ｂにおける機能液膜Ｌ３の厚みは、機能液膜Ｌ３の揮発速度、浮遊性泡沫体Ｂの重量、大気における気温、湿度、気体成分等の条件に応じて適宜変更がなされてよい。機能液膜Ｌ３の厚みは、揮発又は欠損することで予め任意に定められる所定距離に至るまでに機能気体Ａを大気に触れさせるように放出させるような厚みに設定されればよい。
【００７４】
また、上記実施の形態において、制御部７０の構成要素の全部又は一部は、専用のハードウェアで構成されてもよく、或いは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサ等のプログラム実行部が、ＨＤＤ（Ｈａｒｄ  Ｄｉｓｋ  Ｄｒｉｖｅ）又は半導体メモリ等の記録媒体に記録されたソフトウェアプログラムを読み出して実行することによって実現されてもよい。
【００７５】
また、制御部７０の構成要素は、１つ又は複数の電子回路で構成されてもよい。１つ又は複数の電子回路は、それぞれ、汎用的な回路でもよいし、専用の回路でもよい。
【００７６】
１つ又は複数の電子回路には、例えば、半導体装置、ＩＣ（Ｉｎｔｅｇｒａｔｅｄ  Ｃｉｒｃｕｉｔ）又はＬＳＩ（Ｌａｒｇｅ  Ｓｃａｌｅ  Ｉｎｔｅｇｒａｔｉｏｎ）等が含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Ｖｅｒｙ  Ｌａｒｇｅ  Ｓｃａｌｅ  Ｉｎｔｅｇｒａｔｉｏｎ）、又は、ＵＬＳＩ（Ｕｌｔｒａ  Ｌａｒｇｅ  Ｓｃａｌｅ  Ｉｎｔｅｇｒａｔｉｏｎ）と呼ばれるかもしれない。また、ＬＳＩの製造後にプログラムされるＦＰＧＡ（Ｆｉｅｌｄ  Ｐｒｏｇｒａｍｍａｂｌｅ  Ｇａｔｅ  Ａｒｒａｙ）も同じ目的で使うことができる。
【００７７】
また、本発明の全般的又は具体的な態様は、システム、装置、方法、集積回路又はコンピュータプログラムで実現されてもよい。或いは、当該コンピュータプログラムが記憶された光学ディスク、ＨＤＤ若しくは半導体メモリ等のコンピュータ読み取り可能な非一時的記録媒体で実現されてもよい。また、システム、装置、方法、集積回路、コンピュータプログラム及び記録媒体の任意な組み合わせで実現されてもよい。
【００７８】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７９】
１０  溶液生成部
１１、２１、３１、４１  容器
２０  機能水生成部
２２  電極部
３０  送液部
４０  気体生成部
５０  泡沫体発生部
１００  泡沫体発生装置
Ａ  機能気体
Ｂ  浮遊性泡沫体
Ｌ  機能溶液
Ｌ１  機能水
Ｌ２  界面活性剤
Ｌ３  機能液膜
【図１】
2020005993.tif 000003
【図２】
2020005993.tif 000004
【図３】
2020005993.tif 000005
【図４】
2020005993.tif 000006